(57)【特許請求の範囲】
【請求項１】
受信局が、送信局からフレーム毎に情報を受信する際、受信局での受信信号の品質が目標信号品質を満足するように送信局での送信電力をインナループ制御すると共に、受信局での受信信号に含まれる伝送情報の品質が目標情報品質を満足するように上記目標信号品質を所定のフレーム数毎にアウタループ制御し、
受信局により、現時点が情報を受信していない休止期間であるか否かを判定し、休止期間であると新たに判定された場合に、その後休止期間でないことが確認されるまでのあいだ、所定の時間区間が経過する毎にそれまで経過した時間区間の数を数える一方、アウタループ制御対象の目標信号品質を、該休止期間の直前のフレームにおける値に維持し、
上記休止期間の後、情報の伝送が再開されるフレームにおいて、受信局が、維持されている目標信号品質の値に対して、経過した時間区間の数に応じた増分を加え、アウタループ制御を再開する目標信号品質設定手順を有する送信電力制御方法。
【請求項２】
請求項１記載の送信電力制御方法において、
上記伝送休止期間に、上記目標情報品質より低い品質を表す擬似的な情報品質を生成する擬似情報品質生成手順を有し、
上記調整手順は、上記擬似情報品質生成手順にて生成される擬似的な情報品質を伝送情報の品質として、その品質が上記目標情報品質を満足するように上記目標信号品質を制御し、
情報の伝送が再開されたときに得られている目標信号品質の値を、情報の伝送が再開される時に設定されるべき目標信号品質の値とする送信電力制御方法。
【請求項３】
請求項２記載の送信電力制御方法において、
受信局での受信信号に含まれる伝送情報の誤りを測定し、その測定された誤りに基づいて上記伝送情報の品質を求めるようにし、
上記擬似情報品質生成手順は、上記測定された伝送情報の誤りとして、所定周期毎に擬似的に誤りを発生させ、その誤りに基づいて上記擬似的な情報品質を生成し、
上記情報の伝送が再開された後では、上記擬似的に発生された誤りを加味せずに、測定された伝送情報の誤りに基づいて上記伝送情報の品質を求めるようにした送信電力制御方法。
【請求項４】
請求項１ないし３の何れか１項に記載の送信電力制御方法において、
上記情報の伝送が再開される時に設定されるべき目標信号品質の値は、所定の値以下となるように規制されるようにした送信電力制御方法。
【請求項５】
請求項１ないし４の何れか１項に記載の送信電力制御方法において、
複数のチャネルにて情報が送信局から受信局に間欠的に伝送される状態において、上記目標信号品質設定手順は、全てのチャネルの情報の伝送が停止された後に上記複数のチャネルのうち少なくとも１つのチャネルの情報の伝送が再開された時に、その停止時に得られた目標信号品質の値より大きな値の目標信号品質を設定するようにした送信電力制御方法。
【請求項６】
請求項５記載の送信電力制御方法において、
受信局での受信信号に含まれる各チャネルの伝送情報の品質が対応するチャネルで定められた目標情報品質を満足するように上記目標信号品質を制御するようにした送信電力制御方法。
【請求項７】
送信局と受信局との間でフレーム毎に情報を無線伝送するに際して、受信局での受信信号の品質が目標信号品質を満足するように送信局での送信電力をインナループ制御するための送信電力制御信号を生成すると共に、受信局での受信信号に含まれる伝送情報の品質が目標情報品質を満足するように上記目標信号品質を所定のフレーム数毎にアウタループ制御する受信局に備わる送信電力制御装置であって、
現時点が情報を受信していない休止期間であるか否かを判定し、休止期間であると新たに判定された場合に、その後休止期間でないことが確認されるまでのあいだ、所定の時間区間が経過する毎にそれまで経過した時間区間の数を数える一方、アウタループ制御対象の目標信号品質を、該休止期間の直前のフレームにおける値に維持し、
上記休止期間の後、情報の伝送が再開されるフレームにおいて、維持されている目標信号品質の値に対して、経過した時間区間の数に応じた増分を加え、アウタループ制御を再開する目標信号品質設定手段を有する送信電力制御装置。
【請求項８】
請求項７記載の送信電力制御装置において、
上記伝送休止期間に、上記目標情報品質より低い品質を表す擬似的な情報品質を生成する擬似情報品質生成手段を有し、
上記調整手段は、上記擬似情報品質生成手段にて生成される擬似的な情報品質を伝送情報の品質として、その品質が上記目標情報品質を満足するように上記目標信号品質を制御し、
情報の伝送が再開されたときに得られている目標信号品質の値を、情報の伝送が再開される時に設定されるべき目標信号品質の値とする送信電力制御装置。
【請求項９】
請求項８記載の送信電力制御装置において、
受信局での受信信号に含まれる伝送情報の誤りを測定し、その測定された誤りに基づいて上記伝送情報の品質を求めるようにし、
上記擬似情報品質生成手段は、上記測定された伝送情報の誤りとして、所定周期毎に擬似的に誤りを発生させ、その誤りに基づいて上記擬似的な情報品質を生成し、
上記情報の伝送が再開された後では、上記擬似的な発生された誤りを加味せずに、測定された伝送情報の誤りに基づいて上記伝送情報の品質を求めるようにする擬似誤り取消し手段を有する送信電力制御装置。
【請求項１０】
請求項７ないし９の何れか１項に記載の送信電力制御装置において、
上記目標品質設定手段は、上記情報の伝送が再開される時に設定されるべき目標信号品質の値を所定の値以下となるように規制するようにした送信電力制御装置。
【請求項１１】
請求項７ないし１０の何れか１項に記載の送信電力制御装置において、
複数のチャネルにて情報が送信局から受信局に間欠的に伝送される状態において、上記目標信号品質設定手段は、全てのチャネルの情報の伝送が停止された後に上記複数のチャネルのうち少なくとも１つのチャネルの情報の伝送が再開された時に、その停止時に得られた目標信号品質の値より大きな値の目標信号品質を設定するようにした送信電力制御装置。
【請求項１２】
請求項１１記載の送信電力制御装置において、
受信局での受信信号に含まれる各チャネルの伝送情報の品質が対応するチャネルで定められた目標情報品質を満足するように上記目標信号品質を制御する目標信号品質制御手段を有する送信電力制御装置。
【発明の詳細な説明】
【技術分野】
【０００１】
本発明は，送信電力方法及び装置に係り、詳しくは、送信局と受信局との間で情報（データ）を無線伝送するシステムにおける送信電力制御方法及び装置に関する。
【背景技術】
【０００２】
従来、国際公開WO97/50197に開示される送信電力制御方法が知られている。この送信電力制御方法は、CDMA方式の移動通信システムにおける基地局と移動局との間の無線通信に際して送信局（基地局または移動機）での送信電力を所謂２重閉ループ制御に従って制御している。この２重閉ループ制御では、受信局において測定された希望波対干渉波及び雑音電力比（以下、受信ＳＩＲ（SIR：Signal to Interference plus noise power Ratio）という）が目標ＳＩＲとなるように送信局での送信電力を制御する（インナーループ制御）。そして、その過程で、受信局における受信情報の品質（例えば、フレーム誤り率（ＦＥＲ）、ビット誤り率（ＢＥＲ）など）を測定し、その受信情報の品質が目標品質となるように、上記目標ＳＩＲを制御する（アウターループ制御）。
【０００３】
このような２重閉ループ制御の手法に従って送信局での送信電力を制御する方法によれば、受信局での受信情報の品質を所望の品質（目標品質）に維持しつつ、無駄のない送信電力制御が可能となる。
【発明の開示】
【発明が解決しようとする課題】
【０００４】
ところで、送信局と受信局との間で連続的に情報を送受信する場合は、上記のような２重閉ループ制御により適正な送信電力制御が可能となる。しかし、送信局と受信局との間で間欠的（バースト的）に情報が送受信される場合（パケットの送受信の場合、制御信号の送受信の場合など）、次のような問題がある。
【０００５】
例えば、図１８に示すように、送信局と受信局との間でなされるデータの送受信が時刻ｔeにて停止され、休止期間後の時刻ｔsにてデータの送受信が再開される場合がある。このような場合、上記休止期間中に移動局となる送信局または受信局の移動に起因して送信局と受信局との間のマルチパスの状況が変化したりフェージングが発生するなど、送信局と受信局との間の電波伝搬環境が変化する可能性がある。このように休止期間中に送信局と受信局との間の電波伝搬環境が変化すると、データの送受信が再開された際（時刻ｔs）のデータの受信品質が、データの送受信が停止された際（時刻ｔe）のデータの受信品質より低下している可能性がある。
【０００６】
このような状況において、例えば、データの送受信の停止時（時刻ｔe）における目標ＳＩＲの値をデータの送受信の再開時（時刻ｔs）まで維持していると、その目標ＳＩＲの値が、休止期間中に送信局と受信局との間の電波伝搬状況から予想されるデータの受信品質に基づいて本来得られるべき目標ＳＩＲ（図１８に示す破線参照）の値より低くなることがある。このため、データの送受信が再開されたときに、上記アウターループ制御によって目標ＳＩＲが本来得られるべき目標ＳＩＲの値に収束するまでに時間を要し、そのデータの送受信が再開された後、目標ＳＩＲが収束するまでの時間、そのデータの受信品質が劣化してしまう。
【０００７】
そこで、本発明の課題は、所謂２重閉ループ制御を用いた送信電力制御方法及び装置において、情報が間欠的に送受信される際に情報の送受信の開始時から情報の受信品質の劣化の少ない送信電力制御を可能にする送信電力制御方法及び装置を提供することである。
【課題を解決するための手段】
【０００８】
本発明による送信電力制御方法は、受信局が、送信局からフレーム毎に情報を受信する際、受信局での受信信号の品質が目標信号品質を満足するように送信局での送信電力をインナループ制御すると共に、受信局での受信信号に含まれる伝送情報の品質が目標情報品質を満足するように上記目標信号品質を所定のフレーム数毎にアウタループ制御し、
受信局により、現時点が情報を受信していない休止期間であるか否かを判定し、休止期間であると新たに判定された場合に、その後休止期間でないことが確認されるまでのあいだ、所定の時間区間が経過する毎にそれまで経過した時間区間の数を数える一方、アウタループ制御対象の目標信号品質を、該休止期間の直前のフレームにおける値に維持し、
上記休止期間の後、情報の伝送が再開されるフレームにおいて、受信局が、維持されている目標信号品質の値に対して、経過した時間区間の数に応じた増分を加え、アウタループ制御を再開する目標信号品質設定手順を有する送信電力制御方法である。
【発明の効果】
【０００９】
以上、説明したように、本発明の一形態によれば、情報の伝送が再開された時には、情報の伝送が停止された時に比べて大きな送信電力にて上記情報の伝送がなされるようになるので、情報の伝送休止期間に送信局と受信局との間の電波伝搬環境が変化しても、その情報の伝送を再び開始する時点から伝送情報の品質劣化の少ない送信電力制御が可能となる。
【発明を実施するための最良の形態】
【００１０】
本発明の一形態による電力制御方法では、情報の伝送が停止された後に情報の伝送が再開される時に、受信信号の品質が、その停止時に得られた目標信号品質の値より大きな値の目標信号品質を満足するように送信局での送信電力が制御される。その結果、情報の伝送が再開された時には、情報の伝送が停止された時に比べて大きな送信電力にて上記情報の伝送がなされる。
【００１１】
上記受信信号の品質は、送信局からの信号を受信局にて受信した際のその受信信号の品質であれば、特に限定されず、例えば、受信信号のレベルや、希望波対干渉波及び雑音電力比（SIR）で表現することができる。
【００１２】
また、伝送情報は、データ、制御信号等、送信局から受信局に伝送すべき情報であれば、特に限定されない。その伝送情報の品質は、本来の伝送情報と受信局で得られた伝送情報との違いの程度を表すものであれば、特に限定されず、例えば、フレーム誤り率（FER）、ビット誤り率（BER）、それらの平均値、あるいは、情報の伝送単位（例えば、フレーム）における誤りの有無そのものなどで表すことができる。
【００１３】
上記情報の伝送が再開される時に設定されるべき目標信号品質は、例えば、当該目標信号品質の制御範囲の上限値またはその近傍の値のような固定値とすることも、種々の状況に応じて調整するようにすることもできる。
【００１４】
後者の場合、例えば、情報信号の伝送休止期間の長さに応じて送信局と受信局との間の電波伝搬環境の変化の程度が異なる状況において、無駄の少ない送信電力制御が可能になるという観点から、本発明の一形態によれば、上記送信電力制御方法において、上記目標信号品質設定手順は、上記情報の伝送が停止された後に情報の伝送が再開される時に設定されるべき目標信号品質の値を、上記情報の伝送が停止される伝送休止期間の長さに応じて調整する調整手順を有するように構成することができる。
【００１５】
また、本発明の一形態によれば、上記送信電力制御方法において、上記調整手順は、上記情報の伝送が停止された後に情報の伝送が再開される時に設定されるべき目標信号品質の値が、上記情報の伝送停止時に得られた目標信号品質の値からその伝送休止期間の長さに応じた差分量だけ増加させた値となるよう調整するように構成することができる。
【００１６】
目標信号品質の調整を情報の伝送休止期間を意識せずに行なうことができるという観点から、本発明の一形態によれば、上記各送信電力制御方法において、上記伝送休止期間に、上記目標情報品質より低い品質を表す擬似的な情報品質を生成する擬似情報品質生成手順を有し、
上記調整手順は、上記擬似情報品質生成手順にて生成される擬似的な情報品質を伝送情報の品質として、その品質が上記目標情報品質を満足するように上記目標信号品質を制御し、情報の伝送が再開されたときに得られている目標信号品質の値を、情報の伝送が再開される時に設定されるべき目標信号品質の値とするように構成することができる。
【００１７】
伝送情報の品質を求めるためのアルゴリズムを、擬似的な情報品質の生成にそのまま利用できると共に、情報の伝送再開時に、より正確な伝送情報の品質を求めることができるという観点から、本発明の一形態によれば、上記送信電力制御方法において、受信局での受信信号に含まれる伝送情報の誤りを測定し、その測定された誤りに基づいて上記伝送情報の品質を求めるようにし、上記擬似情報品質生成手順は、上記測定された伝送情報の誤りとして、所定周期毎に擬似的に誤りを発生させ、その誤りに基づいて上記擬似的な情報品質を生成し、上記情報の伝送が再開された後では、上記擬似的な発生された誤りを加味せずに、測定された伝送情報の誤りに基づいて上記伝送情報の品質を求めるように構成することができる。
【００１８】
伝送情報が過剰品質になることを防止しつつ適正な送信電力制御が可能になるという観点から、本発明の一形態によれば、上記各送信電力制御方法において、上記情報の伝送が再開される時に設定されるべき目標信号品質の値は、所定の値以下となるように規制されるように構成することができる。
【００１９】
複数のチャネルで情報を伝送する場合に適正な送信電力制御が可能になるという観点から、本発明の一形態によれば、上記各送信電力制御方法において、複数のチャネルにて情報が送信局から受信局に間欠的に伝送される状態において、上記目標信号品質設定手順は、全てのチャネルの情報の伝送が停止された後に上記複数のチャネルのうち少なくとも１つのチャネルの情報の伝送が再開された時に、その停止時に得られた目標信号品質の値より大きな値の目標信号品質を設定するように構成することができる。
【００２０】
また、本発明の一形態によれば、上記送信電力制御方法において、受信局での受信信号に含まれる各チャネルの伝送情報の品質が対応するチャネルで定められた目標情報品質を満足するように上記目標信号品質を制御するように構成することができる。
【００２１】
更に、本発明の一形態によれば、送信局と受信局との間で情報を無線伝送するに際して、受信局での受信信号の品質が目標信号品質を満足するように送信局での送信電力を制御するための送信電力制御信号を生成すると共に、受信局での受信信号に含まれる伝送情報の品質が目標情報品質を満足するように上記目標信号品質を制御する送信電力制御装置において、情報が送信局から受信局に間欠的に伝送される状態において、その情報の伝送が停止された後に情報の伝送が再開される時に、その停止時に得られた目標信号品質の値より大きな値の目標信号品質を設定する目標信号品質設定手段を有するように構成される。
【実施例１】
【００２２】
以下、本発明の実施の形態を図面に基づいて説明する。
【００２３】
本発明の実施の一形態に係る送信電力制御方法が適用される無線通信システムは、例えば、図１に示すように構成される。この無線通信システムは、移動局と基地局との間で情報の送受信がなされる移動通信システムである。
【００２４】
図１において、移動局１００と基地局２００とが、例えば、CDMA方式に従って信号（パケット、制御信号、音声信号など）の送受信を行なう。移動局１００は、送信装置１１０、受信装置１２０、信号処理部１３０及びユーザインターフェース１４０を有する。また、基地局２００は、送信装置２１０、受信装置２２０及び信号処理部２３０を有する。
【００２５】
移動局１００のユーザインターフェース１４０にてユーザから入力された情報（音声、文書、画像等）は、信号処理部１３０にて所定の形式の信号となるように処理される。信号処理部１３０からの信号は、送信装置１１０に供給され、符号化処理、変調処理等の所定の処理が施される。そして、その処理により得られた信号が送信装置１１０から基地局２００に送信される。
【００２６】
移動局１００からの信号を受信した基地局２００の受信装置２２０は、その受信信号に対して復調処理、復号処理等の所定の処理を施す。そして、受信装置１２０にて生成された信号が信号処理部２３０にてネットワーク上を伝送可能な形式に変換され、その信号が信号処理部２３０からネットワークを介して通信相手の端末に送信される。
【００２７】
基地局２００において、ネットワークから供給される信号は、信号処理部２３０にて所定の形式となるように処理される。この信号処理部２３０からの信号は、送信装置２１０に供給され、符号化処理、変調処理等の所定の処理が施される。その処理により得られた信号が送信装置２１０から移動局１００に送信される。
【００２８】
基地局２００からの信号を受信した移動局１００の受信装置１２０は、その受信信号に対して復調処理、復号処理等の所定の処理を施す。そして、受信装置１２０で生成された信号が信号処理部１３０にてユーザインターフェース１４０で処理可能な形式に変換され、その信号に基づいてユーザインターフェース１４０からユーザに対して情報（音声、文書（メール）、画像等）の提示がなされる。
【００２９】
基地局２００の送信装置２１０は、移動局１００から送信される送信電力制御ビット（電力増加、電力低減を表す）に基づいて送信電力制御（下り送信電力制御）を行う。なお、移動局１００の送信装置１１０も、基地局２００から送信される送信電力制御ビットに基づいて送信電力制御（上り送信電力制御）を行なうことができるが、以下、上記下り送信電力制御について説明する。
【００３０】
基地局２００の送信装置２１０は、例えば、図２に示すような構成部を有する。
【００３１】
図２において、この構成部は、無線送信部２１１、誤り検出符号化部２１２、誤り訂正符号化部２１３及び送信電力制御部２１４を有している。誤り検出符号化部２１２は、送信すべき情報を表すデータを信号処理部２３０（図１参照）から入力すると、例えば、CRC（cycle redundancy check）の手法に従ってデータの符号化を行ない、誤り検出用のパリティビットをフレーム単位に付加して出力する。誤り訂正符号化部２１３は、誤り検出符号化部２１２からのフレーム単位のパリティビット付きデータの符号化を行なう。
【００３２】
無線送信部２１１は、誤り訂正符号化部２１３からのフレーム単位の符号化データに基づいて変調を行い、その変調により得られる信号を送信する。送信電力制御部２１４は、後述するように移動局１００にて生成された送信電力制御ビットを受信装置２２０から取得し、その送信電力制御ビットに基づいて無線送信部２１１での送信電力を制御する。例えば、送信電力制御ビットが電力増加を表す場合には、所定量（dB）だけ送信電力を増加させ、その送信電力ビットが電力低減を表す場合には、所定量（dB）だけ送信電力を低減させる。
【００３３】
移動局１００の受信装置１２０は、例えば、図３に示すような構成部を有している。
【００３４】
図３において、この構成部は、無線受信部１２１、誤り訂正復号／誤り検出部１２２、誤り率測定部１２３、目標ＳＩＲ決定部１２４、ＳＩＲ測定部１２５、ＳＩＲ比較部１２６及び送信電力制御ビット決定部１２７を有している。無線受信部１２１は、基地局２００から送信される信号を受信し、その受信信号を復調してベースバンド信号を生成する。そのベースバンド信号は、誤り訂正復号／誤り検出部１２２に供給され、フレーム単位に誤り訂正復号がなされると共に、CRCの手法に従って誤りの有無の検出がなされる。その復号結果が情報出力として受信装置１２０から信号処理部１３０（図１参照）に供給される。この誤り訂正復号／誤り検出部１２２は、更に、フレーム単位毎に上記誤りの有無を表す誤り検出結果及び、情報（データ、信号）を受信していない休止期間（図１８参照）であるか否かを表す休止判定信号を出力する。
【００３５】
誤り率測定部１２３は、上記誤り訂正復号／誤り検出部１２２からの誤り検出結果に基づいて、フレーム誤り率（FER：Frame Error Rate）を受信信号（希望波）から復元した情報の受信品質として演算する。
【００３６】
ＳＩＲ測定部１２５は、無線受信部１２１にて得られた受信信号に基づいて受信ＳＩＲ（希望波対干渉波及び雑音電力比）を演算する。この演算周期は、データのフレーム周期より短い。目標ＳＩＲ決定部１２４は、後述するような手順に従って、誤り率測定部１２３から出力される情報の受信品質（FER）が目標品質となるように、目標ＳＩＲを決定する。ＳＩＲ比較部１２６は、上記ＳＩＲ測定部１２５からの受信ＳＩＲと目標ＳＩＲ決定部１２４からの目標ＳＩＲとを比較し、その比較結果を出力する。
【００３７】
送信電力制御ビット決定部１２７は、ＳＩＲ比較部１２６からの比較結果に基づいて送信電力制御ビットの値を決定する。受信ＳＩＲが目標ＳＩＲより小さい場合、希望波の受信レベルが低いとして、送信電力制御ビットが送信電力を増加させるべき値（例えば、「１」）に決定される。一方、受信ＳＩＲが目標ＳＩＲより大きい場合、希望波の受信レベルが高いとして、送信電力制御ビットが送信電力を低減させるべき値（例えば、「０」）に決定される。このように値の決定される送信電力制御ビットは、送信電力制御ビット決定部１２７から送信装置１１０に供給され、その送信装置１１０から基地局２００に送信される。そして、基地局２００の送信装置２１０では、前述したように、この送信電力制御ビットに基づいて送信電力制御がなされる。
【００３８】
上記誤り率測定部１２３は、例えば、図４に示す手順に従ってFERを演算する。
【００３９】
図４において、誤り率測定部１２３は、休止判定信号に基づいて現時点が休止期間であるか否かを判定し（S１）、休止期間でなければ、誤り訂正復号／誤り検出部１２２からの誤り検出結果の入力待ち状態となる（Ｓ２でＮＯ）。この状態で、フレーム単位に誤り訂正復号／誤り検出部１２２から出力される誤り検出結果が入力されると（Ｓ２でＹＥＳ）、その誤り検出結果が誤り有り（CRC＝NG）を表すか否かが判定される（Ｓ３）。その誤り検出結果が誤り有りを表す場合（Ｓ３でＹＥＳ）、誤りフレーム数のカウンタが＋１だけカウントアップされる（Ｓ４）と共に、受信フレーム数のカウンタが＋１だけカウントアップされる（Ｓ５）。一方、その誤り検出結果が誤りなし（CRC＝OK）を表す場合（Ｓ３でＮＯ）、誤りフレーム数のカウンタはカウントアップなされることなく、受信フレーム数のカウンタが＋１だけカウントアップされる（Ｓ５）。
【００４０】
その後、受信フレーム数が所定数に達したか否かが判定される（Ｓ６）。受信フレーム数が所定数に達していない場合（Ｓ６でＮＯ）、通信中であるか否かの判定（Ｓ８）と共に、上述した処理（Ｓ１〜Ｓ６）が実行される。このようにして、基地局２００と移動局１００との間でデータの送受信が行なわれている状態（休止期間でない状態）では、誤り検出結果が入力される毎（Ｓ２でＹＥＳ）に、その誤り検出結果が誤り有りを表す場合に（Ｓ３でＹＥＳ）、誤りフレーム数のカウンタ及び受信フレーム数のカウンタがカウントアップされ（Ｓ４、Ｓ５）、その誤り検出結果が誤りなしを表す場合に（Ｓ３でＮＯ）、受信フレーム数のカウンタだけがカウントアップされる（Ｓ５）。
【００４１】
上記のような処理（Ｓ１〜Ｓ６、Ｓ８）が繰り返し実行される過程で、受信フレーム数が所定数に達すると（Ｓ６でＹＥＳ）、その時点で得られている受信フレーム数と誤りフレーム数からFER（＝誤りフレーム数／受信フレーム数）が演算され、そのFERが誤り率測定部１２３から出力される（Ｓ７）。このとき、誤りフレーム数のカウンタ及び受信フレーム数のカウンタがリセットされる。以後、基地局２００が移動局１００にデータの送信がなされている間（Ｓ１でＮＯ）、上述した処理が繰り返し実行される。その結果、誤り率測定部１２３は、受信装置１２０にて受信されるフレームの数が所定数に達する毎に、FERを受信信号（希望波）から復元した情報の受信品質として出力する。
【００４２】
上記所定数は、目標品質に応じて定められる。例えば、目標品質（目標FER）が１０-2であれば、受信フレーム数１００に対して誤りフレーム数１となる品質であるので、上記所定数は、１００以上に設定される。
【００４３】
上述した処理の過程で、現時点が休止期間（送受信される実質的なデータがない期間）であることを表す休止判定信号が誤り訂正復号／誤り検出部１２２から入力されると（Ｓ１でＹＥＳ）、上記誤りフレーム数のカウンタ及び受信フレーム数のカウンタの各カウンタがリセットされる（Ｓ９）。これは、基地局２００からのデータの送信が停止され、休止期間後、データの送信が再開されたときに、各カウンタに残っているカウント値に基づいてFERが演算されることを防止するためである。これにより、休止期間中に電波伝搬環境が変化しても、データの送信が再開されたときの電波伝搬環境に基づいた情報の受信品質（FER）を得ることができるようになる。
【００４４】
なお、上記誤り率測定部１２３での処理は、基地局２００と移動局１００との間の通信が終了すると（Ｓ８でＮＯ）、終了する。
【００４５】
上記目標ＳＩＲ決定部１２４は、例えば、図５に示す手順に従って目標ＳＩＲを決定する。
【００４６】
図５において、目標ＳＩＲ決定部１２４は、休止フラグをリセット（＝０）し（Ｓ１１）、目標ＳＩＲ（SIRt）を初期値に設定する（Ｓ１２）。その後、目標ＳＩＲ決定部１２４は、休止判定信号に基づいて現時点が休止期間であるか否かを判定し（Ｓ１３）、休止期間でなければ、更に、休止フラグがセットされているか（＝１）否かを判定する（Ｓ１４）。基地局２００から移動局１００にデータの送信がなされる状況で休止フラグがリセットされている（＝０）場合（Ｓ１３でＮＯ）、目標ＳＩＲ決定部１２４は、前述したように誤り率測定部１２３から所定受信フレーム数毎に出力されるFERの入力待ち状態となる（Ｓ１５でＮＯ）。
【００４７】
この状態で、誤り率測定部１２３からのFERが入力されると、その入力FERと目標誤り率FERt（目標品質に対応）とが比較される（Ｓ１６）。そして、その比較結果に基づいて入力FERが目標誤り率FERtの±αの範囲内にあるか否かが判定される（Ｓ１７）。入力FERが目標誤り率FERtの±αの範囲内にあると（Ｓ１７でＹＥＳ）、現在設定されている目標ＳＩＲ（SIRt）が維持される（SIRt＝SIRt）（Ｓ１８）。一方、上記入力FERが目標誤り率FERtの±αの範囲内にないと（Ｓ１７でＮＯ）、更に、入力FERが目標誤り率の許容上限（FERt＋α）を超えているか否かが判定される（Ｓ１９）。
【００４８】
入力FERがこの目標誤り率の許容上限（FERt＋α）を超えていると（Ｓ１９でＹＥＳ）、受信信号で表される情報の品質が目標品質に達していないとして、目標ＳＩＲ（SIRt）がΔ1だけ増加される（SIRt＝SIRt＋Δ1）（Ｓ２０）。一方、入力FERが上記目標誤り率の許容上限（FERt＋α）を超えていない場合（Ｓ１９でＮＯ）、更に、入力FERが目標誤り率の許容下限（FERt−α）を下回っているか否かが判定される（Ｓ２１）。入力FERがこの目標誤り率の許容下限（FERt−α）を下回っていると（Ｓ２１でＹＥＳ）、受信信号で表される情報の品質が目標品質に達しているとして、目標ＳＩＲ（SIRt）がΔ2だけ減少される（SIRt＝SIRt−Δ2）（Ｓ２２）。
【００４９】
なお、入力FERが上記目標誤り率の許容下限（FERt−α）を下回っていないと判定（Ｓ２１でＮＯ）は、それまでの判定（Ｓ１７でＮＯ、Ｓ１９でＮＯ）と矛盾するため、現在設定される目標ＳＩＲ（SIRt）が維持される（SIRt＝SIRt）（Ｓ１８）。
【００５０】
上記のようにして、誤り率測定部１２３からFERが入力される毎に、その入力FERと目標誤り率FERtとの相対的な関係に基づいて目標ＳＩＲ（SIRt）が決定される。その結果、例えば、図６に示すように、基地局２００から移動局１００にデータが送信されている期間（休止期間以外の期間）では、得られる情報の品質が目標品質より低ければ（入力FERが目標誤り率の許容上限を超える場合）、その目標ＳＩＲ（SIRt）はΔ1ずつ増加される。一方、得られる情報の品質が目標品質より高ければ（入力FERが目標誤り率の許容下限を下回る場合）、その目標ＳＩＲ（SIRt）はΔ2ずつ減少される。そして、得られる情報の品質が目標品質となれば（入力FERが目標誤り率の±αの範囲内の場合）、その目標ＳＩＲ（SIRt）が維持される。
【００５１】
そして、受信ＳＩＲが、上記のように制御（アウターループ制御）される目標ＳＩＲに近づくように送信電力制御ビットの値が決定される（インナーループ制御）。その結果、受信される情報の品質が目標品質となるように基地局の送信装置での送信電力が無駄なく制御される。
【００５２】
なお、上記目標ＳＩＲを増加させる単位Δ1と、それを減少させる単位Δ2は、同一であっても、異なってもよい。上記増加させる単位Δ1を減少させる単位Δ2より大きく設定することは、情報の受信品質が目標品質より低い場合に、より早くその受信品質が目標品質に収束できるように送信電力制御が行なわれる点から、好ましい。
【００５３】
上記のような目標ＳＩＲ決定部１２４での処理の過程で、基地局２００からのデータの送信が停止され、休止期間が開始されると、目標ＳＩＲ決定部１２４は、休止判定信号に基づいて現時点が休止期間であると判定する（Ｓ１３でＹＥＳ）。すると、休止フラグがセットされているか（＝１）否かが判定される（Ｓ２４）。そして、休止フラグがセットされていなければ（Ｓ２４でＮＯ）、その休止フラグがセットされる（＝１）（Ｓ２５）。以後、休止フラグがセットされていることの確認が繰り返し実行される（Ｓ１３、Ｓ２４）。
【００５４】
この状態で、基地局２００からのデータの送信が再開されると、目標ＳＩＲ決定部１２４は、休止判定信号に基づいて現時点が休止期間でないと判定する（Ｓ１３でＮＯ）。そして、休止フラグがセットされているか否かが判定される（Ｓ１４）。上記休止期間後のデータ伝送開始時（図６に示す時刻ｔs1、ｔs2）では、上記休止期間の開始時（図６に示す時刻ｔe1、ｔe2）にセットされた休止フラグの状態が維持されているので、休止フラグがセットされていると判定される（Ｓ１４でＹＥＳ）。すると、目標ＳＩＲ（SIRt）として所定値SIRtoが設定される（SIRt＝SIRto）（Ｓ２６）。その後、休止フラグがリセットされる（＝０）（Ｓ２７）。以後、上述したような基地局２００からデータが送信されている際の処理（Ｓ１３〜Ｓ２２）と同様の処理が繰り返し実行され、入力FERと目標誤り率FERtとの相対的な関係に基づいて目標ＳＩＲが決定される。
【００５５】
上記のように休止期間後のデータ伝送再開時において設定される目標ＳＩＲの値SIRtoは、目標ＳＩＲ（SIRt）の制御範囲の上限値またはその近傍の値に定められる。その結果、図６に示すように、そのデータ伝送再開時ｔs1、ｔs2から所定期間では、その休止期間に移動局１００と基地局２００との間の電波伝搬環境が変化したとしても、受信ＳＩＲがその比較的高い目標ＳＩＲの値SIRtoに近づくように送信電力制御がなされるので、移動局１００で取得される情報の品質（誤り率）は、比較的高く（小さく）維持することができる。
【００５６】
なお、休止期間後のデータ伝送再開時において設定される目標ＳＩＲの値は、上記のように目標ＳＩＲの制御範囲の上限値またはその近傍の値に限られない。例えば、休止期間開始時（ｔe1、ｔe2）に設定されている目標ＳＩＲの値に所定量だけ加算した値を休止期間後のデータ伝送再開時（ｔs1、ｔs2）に設定することも可能である。この場合、その設定される目標ＳＩＲの値が基地局２００と移動局１００との間の電波伝搬環境から予想される適正な目標ＳＩＲより低い場合であっても、従来の方法ように休止期間開始時に得られている目標ＳＩＲから制御を再開する場合に比べて、目標ＳＩＲを上述した手順（Ｓ１３〜Ｓ２２）に従ってその適正な目標ＳＩＲにより早期に収束させることができる。
【００５７】
なお、上述した目標ＳＩＲの設定のための処理（Ｓ１３〜Ｓ２７）は、状況に応じて、移動局１００と基地局２００との間で通信が継続されている状態（Ｓ２３でＹＥＳ）で繰り返し実行される。そして、その処理は、移動局１００と基地局２００との間の通信が終了されると（Ｓ２３でＮＯ）、終了する。
【００５８】
目標ＳＩＲ決定部１２４は、例えば、図７に示す手順に従って処理を行うこともできる。この場合、休止期間の長さに応じて、休止期間後のデータの送信開始時に設定される目標ＳＩＲの値が制御される。なお、図７において、図５に示す処理ステップと同様の処理ステップには同じ参照符号が付されている。
【００５９】
図７において、カウント値Ｎが初期値ゼロ（Ｎ＝０）に設定される（Ｓ３１）と共に、目標ＳＩＲ（SIRt）が初期値に設定される（Ｓ１２）。その後、目標ＳＩＲ決定部１２４は、休止判定信号に基づいて現時点が休止期間であるか否かを判定し（Ｓ１３）、休止期間でなければ、更に、上記カウント値Ｎがゼロであるか否かを判定する（Ｓ１４）。基地局２００から移動局１００にデータの送信がなされる状況で、上記カウント値Ｎがゼロである場合（Ｓ１３でＮＯ）、目標ＳＩＲ決定部１２４は、前述した例（図５参照）と同様に、誤り率測定部１２３からのFERが入力される毎に、その入力FERと目標誤り率FERtとの相対的な関係に基づいて目標ＳＩＲの値を設定する（Ｓ１５〜Ｓ２２）。
【００６０】
上記のような目標ＳＩＲ決定部１２４での処理の過程で、基地局２００からのデータの送信が停止され、休止期間が開始されると、目標ＳＩＲ決定部１２４は、上記休止判定信号に基づいて現時点が休止期間であると判定する（Ｓ１３でＹＥＳ）。すると、所定時間の計測を行なうタイマ処理が行なわれ（Ｓ３３）、上記カウント値Ｎが＋１だけインクリメントされる（Ｓ３４）。以後、休止期間の確認（Ｓ１３でＮＯ）と共に、上記タイマ処理（Ｓ３３）とカウント値Ｎのインクリメント（Ｓ３４）が繰り返し実行される。その結果、上記カウント値Ｎは上記タイマ処理で計測される時間毎に順次インクリメントされる。
【００６１】
この状態で、基地局２００からのデータの送信が再開されると、目標ＳＩＲ決定部１２４は、休止判定信号に基づいて現時点が休止期間でないと判定する（Ｓ１３でＮＯ）。そして、上記カウント値Ｎがゼロであるか否かが判定される（Ｓ３２）。上記休止期間においては、カウント値Ｎが順次インクリメントされ、休止期間の終了時点では、そのカウント値Ｎは、当該休止期間の長さに対応した値となっている。従って、当該カウント値Ｎはゼロでないと判定される（Ｓ３２でＮＯ）。
【００６２】
すると、カウント値Ｎと差分値Δ（Ｎ）との関係を表したテーブルを参照して、上記休止期間の開始時にセットされて当該休止期間中維持されている目標ＳＩＲ（SIRt）の値に現時点でのカウント値Ｎに対応した差分値Δ（Ｎ）を加算して新たな目標ＳＩＲが設定される（SIRt＝SIRt＋Δ（N））（Ｓ３５）。そして、上記カウント値Ｎがリセットされる（Ｓ３６）。以後、上述したような基地局２００からデータが送信されている際の処理と同様の処理（Ｓ１５〜Ｓ２２）が繰り返し実行され、入力FERと目標誤り率FERtとの相対的な関係に基づいて目標ＳＩＲが決定される。
【００６３】
上記とカウント値Ｎと差分値Δ（Ｎ）との関係は、例えば、図８に示すようになっている。即ち、カウント値Ｎが増加するに従ってその差分値Δ（Ｎ）が階段状に増加する。その結果、図９に示すように、休止期間ＴN2の開始時ｔe2に設定される目標ＳＩＲの値とその休止期間ＴN2後のデータ伝送再開時ｔs2に設定される目標ＳＩＲとの差分値Δ（Ｎ２）は、上記休止期間ＴN2より短い休止期間ＴN1の開始時ｔe1に設定される目標ＳＩＲの値とその休止期間ＴN1後のデータ伝送再開時ｔs1に設定される目標ＳＩＲの値との差分値Δ（Ｎ１）より大きくなる。
【００６４】
従って、電波伝搬環境の変化が比較的大きくなると予想される比較的長い休止期間ＴN2後のデータ伝送再開時ｔs2では、比較的大きな値の目標ＳＩＲが設定され、そのデータ伝送再開時ｔs2から所定時間、受信ＳＩＲがその比較的大きな値の目標ＳＩＲに近づくように送信電力制御がなされる。そのため、移動局１００にて取得される情報の品質（誤り率）が比較的高く（小さく）維持できるようになる。
【００６５】
一方、電波伝搬環境の変化が比較的小さいと予想される比較的短い休止期間ＴN1後のデータ伝送再開時ｔs1では、設定される目標ＳＩＲの値の増加分が比較的小さくなり、目標ＳＩＲの値が必要以上に高く設定されることが防止される。そのため、移動局１００にて取得される情報の品質（誤り率）が過剰品質となることが抑制されつつ送信電力制御がなされるようになる。
【００６６】
上記誤り率測定部１２３は、例えば、図１０に示す手順に従って処理を行うこともできる。この場合、休止期間において擬似的なFERが生成される。その擬似的なFERにより、目標ＳＩＲ決定部１２４は、休止期間を認識しなくても、結果として、休止期間後のデータ伝送再開時において比較的大きい値の目標ＳＩＲを設定することができるようになる。なお、図１０において、図４に示す処理ステップと同様の処理ステップには同じ参照符号が付されている。
【００６７】
図１０において、誤り率測定部１２３は、カウント値Ｎを初期値ゼロに設定すると共に定数値Ｍを設定する（Ｓ４１）。そして、誤り率測定部１２３は、誤り訂正復号／誤り検出部１２２でのフレーム受信処理（受信フレームについての復号処理、誤り検出処理）が終了したか否かを監視する（Ｓ４２）。誤り訂正復号／誤り検出部１２２でのフレーム受信処理が終了したことが判定されると（Ｓ４２でＹＥＳ）、休止判定信号に基づいて受信データの有無が判定される（Ｓ４３）。受信データが有る場合（休止期間でない場合）（Ｓ４３でＹＥＳ）、誤り測定部１２３は、誤り訂正復号／誤り検出部１２２からの誤り検出結果を取得する（Ｓ４４）。
【００６８】
その後、前述した例（図４参照）と同様に、その取得された誤り検出結果が誤り有りを表す場合に（Ｓ３でＹＥＳ）、誤りフレーム数のカウンタ及び受信フレーム数のカウンタがカウントアップされ（Ｓ４、Ｓ５）、その誤り検出結果が誤りなしを表す場合に（Ｓ３でＮＯ）、誤りフレーム数のカウンタだけがカウントアップされる（Ｓ５）。上記受信フレーム数のカウンタがカウントアップされる前に上記カウント値Ｎのリセット（Ｎ＝０）が行なわれる（Ｓ４５）。
【００６９】
基地局２００から移動局１００へのデータの送信が継続されている状態（Ｓ４３でＹＥＳ）では、誤り率測定部１２３は、フレーム受信処理の終了を確認する毎に、誤り検出結果を取得して、その検出結果に基づいて誤りフレーム数のカウンタのカウントアップの制御及び受信フレーム数のカウンタのカウントアップの制御をカウント値Nのリセットと共に繰り返し実行する（Ｓ４２、Ｓ４３、Ｓ４４、Ｓ３、Ｓ４、Ｓ４５、Ｓ５）。そして、受信フレーム数が所定値に達すると（Ｓ６でＹＥＳ）、前述した例（図４参照）と同様に、受信フレーム数と誤りフレーム数に基づいてFER（フレーム誤り率）が演算され、そのFERが出力される（Ｓ７）。そして、各カウンタがリセットされる。
【００７０】
上述した手順に従った処理により、基地局２００から移動局１００へのデータ送信がなされている状態において、誤り率測定部１２３は、受信フレーム数が所定数に達する毎に、FERを目標ＳＩＲ決定部１２４に供給する。
【００７１】
上述した処理の過程で、休止判定信号に基づいて受信データがないと判定される（現時点が休止期間である）と判定されると（Ｓ４３でＮＯ）、カウント値Ｎが＋１だけインクリメントされ（Ｓ４６）、そのカウント値Ｎが定数値Ｍに達したか否かが判定される（Ｓ４７）。なお、この定数値Ｍは、判断ステップＳ６で用いられる所定値より小さい値となる。そのカウント値Ｎが定数値Ｍに達していなければ（Ｓ４７でＮＯ）、受信フレーム数のカウンタのカウントアップがなされる（Ｓ５）。以後、休止期間では（Ｓ４３でＮＯ）、フレーム受信処理の終了が確認される（Ｓ４２でＹＥＳ）毎に、カウント値Ｎのインクリメント（Ｓ４６）、カウント値Ｎが定数値Ｍに達したか否かの確認（Ｓ４７）、受信フレーム数のカウンタのカウントアップ（Ｓ５）、受信フレーム数が所定数に達したか否かの判定（Ｓ６）が行なわれる。
【００７２】
その過程で、カウント値Ｎが定数値Ｍに達すると（Ｓ４７でＹＥＳ）、誤りフレーム数のカウンタのカウントアップ（Ｓ４）がなされると共に、カウント値Ｎのリセット（Ｎ＝０）（Ｓ４５）が行なわれる。このような処理により、受信フレームがＭに達する毎に誤りフレームのカウンタがカウントアップされる。そして、受信フレームが所定値に達すると（Ｓ６でＹＥＳ）、その時点で得られている受信フレーム数と誤りフレーム数に基づいてFERが算出される（Ｓ７）。
【００７３】
休止期間中上述した処理（Ｓ４２、Ｓ４３、Ｓ４６、Ｓ４７、Ｓ４、Ｓ４５、Ｓ５、Ｓ６、Ｓ７）が繰り返し実行されることにより、休止期間中、誤り率測定部１２３は、受信フレームＭ個に対して誤りフレーム1個の割合に相当した擬似的なFERを出力する。
【００７４】
なお、上記擬似的なFERは、目標ＳＩＲを決定する際に用いられる目標誤り率の許容上限よりFERt＋αより大きな値となるように、上記定数値Ｍが設定される。
【００７５】
上記のように基地局２００から移動局１００へのデータ送信がなされている間に誤り率測定部１２３から出力される実際の誤りフレームの数に基づいたFERと、休止期間に誤り率測定部１２３から出力される擬似的なFERを入力する目標ＳＩＲ決定部１２４は、例えば、図１１に示す手順に従って処理を行なう。なお、図１１において、図５に示す処理ステップと同様の処理ステップには同じ参照符号が付されている。
【００７６】
前述した例（図５参照）と同様に、目標ＳＩＲ（SIRt）の初期値が設定された後（Ｓ１２）、誤り率測定部１２３からFERが入力される毎に、その入力FERと目標誤り率FERtとの相対的な関係に基づいて目標ＳＩＲ（SIRt）が決定される（Ｓ１５〜Ｓ２２）。
【００７７】
このような過程で、休止期間になると、誤り率測定部１２３からは、上述したように、擬似的なFERが出力される。目標ＳＩＲ決定部１２４は、この擬似的なFERを入力FERとして上記と同様な手順に従って処理を行う。この場合、上記擬似的なFERは、上記定数値Ｍ（図１０のＳ４１参照）を適当に決めることにより、目標誤り率の許容上限（FIRt＋α）を超える値に設定される。そのため、上記処理の過程で、その擬似的なFERが入力FERとして取得される毎に、その入力FERと目標誤り率FERtとの相対的な関係に基づいて、目標ＳＩＲ（SIRt）がΔ1ずつ増加される（Ｓ１５、Ｓ１６、Ｓ１７、Ｓ１９、Ｓ２０）。
【００７８】
上記処理により、図１２に示すように、休止期間において目標ＳＩＲがΔ１ずつ増加すると、前述した例（図７、図８、図９参照）と同様に、休止期間の開始時での目標ＳＩＲの値とその休止期間後のデータ伝送再開時での目標ＳＩＲの値との差分は、休止時間が長くなるほど大きくなる。従って、前述した例と同様に、電波伝搬環境の変化が比較的大きくなると予想される比較的長い休止期間後のデータ伝送再開時では、比較的大きな値の目標ＳＩＲが設定され、そのデータ伝送再開時から所定時間、受信ＳＩＲがその比較的大きな値の目標ＳＩＲに近づくように送信電力制御がなされる。一方、電波伝搬環境の変化が小さいと予想される比較的短い休止期間後のデータ伝送再開時では、設定される目標ＳＩＲの値の増加分が比較的小さくなり、目標ＳＩＲの値が必要以上に高く設定されることが防止される。
【００７９】
また、この例（図１０、図１１、図１２）では、目標ＳＩＲ決定部１２４は、休止期間を認識せずに処理を行なうことができ、その処理が容易になる。
【００８０】
図１０に示す手順に従ってFERを演算する場合、図１３に示すように、品質測定期間（受信フレームが所定値に達するまでの期間）で得られた誤りフレームの数に基づいてFERが演算され、そのFERがその品質測定期間後の目標ＳＩＲに反映されることになる。このため、品質測定期間の途中でデータ伝送が再開されると、そのデータ伝送再開時ｔsの直後では、擬似的にカウントアップした誤りフレーム数が、実際の受信データの誤り率の演算に加味されてしまう。このため、休止期間後のデータ伝送再開時ｔs直後に得られるFERの精度が低下してしまう。
【００８１】
このような問題を解決し、常に、休止期間後のデータ伝送再開時ｔsから実際の受信データの誤り率（FER）を正確に演算できるようにするため、誤り率測定部１２３は、例えば、図１４に示す手順に従って処理を行うことができる。なお、図１４において、図１０に示す処理ステップと同様の処理ステップには同じ参照符号が付されている。
【００８２】
図１４において、フレーム受信処理の終了を判定（Ｓ４２でＹＥＳ）した後に、休止判定信号に基づいて受信データがない（休止期間）との判定がなされると、休止フラグがセットされているか否かが判定される（Ｓ４９）。この休止フラグがセットされていなければ（Ｓ４９でＮＯ）、その休止フラグがセットされる（Ｓ５０）。
【００８３】
以後、休止期間では、休止フラグがセットされていることの確認がなされつつ（Ｓ４９）、前述した例（図１０参照）と同様に、Ｍ個の受信フレームに１つの誤りフレームの割合で、誤りフレーム数のカウンタのカウントアップが行なわれる（Ｓ４６、Ｓ４７、Ｓ４、Ｓ４５、Ｓ５）。そして、受信フレームの数が所定値に達する毎に、擬似的なFERが演算され、出力される（Ｓ６）。
【００８４】
上記の処理の過程で、休止期間が終了し、受信データがあるとの判定がなされると（Ｓ４３でＹＥＳ）、休止フラグがセットされているか否かが判定される（Ｓ４８）。休止期間後のデータ伝送再開時には、その休止期間の開始時にセットされた（Ｓ５０）休止フラグの状態が維持されているので、休止フラグがセットされていると判定される（Ｓ４８でＹＥＳ）。すると、誤りフレーム数のカウンタ及び受信フレーム数のカウンタがリセットされ（Ｓ５１）、上記休止フラグがリセットされる（Ｓ５２）。
【００８５】
以後、前述した例と同様に、誤り訂正復号／誤り検出部１２２からの誤り検出結果を取得する毎に（Ｓ４４）、その誤り検出結果が誤り有りを表していれば（Ｓ３でＹＥＳ）、誤りフレームのカウンタ及び受信フレームのカウンタをカウントアップし（Ｓ４、Ｓ５）、その誤り検出結果が誤りなしを表していれば、受信フレームのカウンタだけをカウントアップする（Ｓ５）。そして、受信フレームの数が所定値に達すると（Ｓ６でＹＥＳ）、その時点での、誤りフレーム数と、受信フレーム数に基づいてFERを演算し、出力する（Ｓ７）。
【００８６】
上記のような処理によれば、休止期間後のデータ伝送再開時には、誤りフレームのカウンタ及び受信フレームのカウンタがリセットされるので、そのデータ伝送再開時からは、実際の受信データの誤りの状況だけを反映したFERを得ることができるようになる。
【００８７】
次に、複数の伝送チャネルがある場合の例について説明する。
【００８８】
受信装置１２０は、例えば、図１５に示すような構成部を有する。
【００８９】
図１５において、無線受信部１２１からのチャネル１（例えば、データチャネル）とチャネル２（例えば、制御チャネル）が多重化された信号が分離回路１２８にてチャネル１の信号とチャネル２の信号に分離される。各チャネル毎に、図３に示す例と同様に、誤り訂正復号／誤り検出部１２２ａ、１２２ｂ、及び誤り率測定部１２３ａ、１２３ｂが設けられている。目標ＳＩＲ決定部１２４には、誤り測定部１２３ａからのチャネル１の品質情報FER及び誤り率測定部１２３ｂからのチャネル２の品質情報FERが供給される。そして、目標ＳＩＲは、各チャネルの受信品質情報と、各チャネルの目標品質情報に基づいて目標ＳＩＲを決定する。
【００９０】
前述した例と同様に、ＳＩＲ測定部１２５にて得られた受信ＳＩＲと上記目標ＳＩＲ決定部１２４にて決定された目標ＳＩＲとがＳＩＲ比較部１２６にて比較される。そして、その比較結果に基づいて送信電力制御ビット決定部１２７が送信電力制御ビットの値を決定する。
【００９１】
また、送信装置２１０は、例えば、図１６に示すような構成部を有する。
【００９２】
図１６において、チャネル１及びチャネル２のそれぞれに対して、図２に示す例と同様に、誤り検出符号化部２１２ａ、２１２ｂ及び誤り訂正符号化部２１３ａ、２１３ｂを有している。各誤り訂正符号化部２１３ａ、２１３ｂからのデータが多重化回路２１５にて多重化され、その多重化されたデータが無線送信部２１１に供給される。無線送信部２１１は、その供給されるデータに基づいて変調行ない、その変調により得られる信号を送信する。そして、送信電力制御部２１４が、送信電力制御ビットに基づいて無線送信部２１１の送信電力を制御する。
【００９３】
上記のように２つの伝送チャネルがある場合、例えば、図１７に示すように、各チャネルで、間欠的にデータ（または、制御信号）の伝送がなされる。このよな状況では、
（１）双方のチャネルでデータの伝送がなされている状態
（ｔe21以前、ｔs11〜ｔe22）、
（２）チャネル１だけでデータの伝送がなされている状態
（ｔe21〜ｔe11、ｔe22〜ｔe12）、
（３）どちらのチャネルともデータの伝送がなされていな状態
（ｔe11〜ｔs21、ｔe12〜ｔs22）、
（３）チャネル２だけでデータの伝送がなされている状態
（ｔs21〜ｔs11、ｔs22〜ｔs12）
が存在し得る。
【００９４】
目標ＳＩＲ決定部１２４は、上記（１）の状態では、誤り率測定部１２３ａからの受信品質情報（FER）とチャネル１での目標品質との相対的な関係に基づいてチャネル１での目標ＳＩＲ（１）を決定し（図１１に示す手順参照）、誤り率測定部１２３ｂからの受信品質情報（FER）とチャネル２での目標品質との相対的な関係に基づいてチャネル２での目標ＳＩＲ（２）を決定する（図１１に示す手順参照）。そして、それぞれのチャネルでの目標ＳＩＲ（１）、目標ＳＩＲ（２）のうち大きい値の目標ＳＩＲを最終的な目標ＳＩＲとして決定する。
【００９５】
上記（２）、（４）の状態では、データの伝送がなされているチャネルに対応した誤り率測定部１２３ａまたは１２３ｂからの受信品質情報（FER）とそのチャネルでの目標品質との相対的な関係に基づいて目標ＳＩＲを決定する（図１１に示す手順参照）。
【００９６】
更に、どちらのチャネルともデータの伝送がなされていない状態（３）（休止期間）から少なくともいずれかのチャネルでのデータ伝送が再開された際に設定される目標ＳＩＲの値SIRtxは、その目標ＳＩＲの制御範囲の上限値またはその近傍の値SIRto（図５、図参照）に設定しても、休止期間の長さに対応した差分値だけ増加させた値（図７、図８、図９、図１０、図１１、図１２参照）に設定してもよい。
【００９７】
なお、上述した各例において、休止期間後のデータ伝送再開時に設定される目標ＳＩＲの値を予め定めた上限値を超えないように制御することで、必要以上に高い目標ＳＩＲとなることが防止される。必要以上に高い目標ＳＩＲを設定した場合、データ伝送再開後、本来の適切な目標ＳＩＲに収束するのに時間がかかり、過剰品質での通信状態が長く続くことになる。ＣＤＭＡ方式の移動通信システムの場合、各ユーザチャネルにおいて過剰品質となる状態が長く続くことは、送信側において無駄な送信電力を消費することになり、システム容量を減少させる結果になってしまう。上記のようにデータ伝送再開時に設定される目標ＳＩＲの値に制限を設けることで、そのような無駄な送信電力消費をできるだけ低く抑えることができる。
【００９８】
また、上記各例において、データの品質情報として、所定周期で得られるFERの移動平均値を用いることもできる。
【００９９】
更に、目標ＳＩＲ決定部１２４では、誤り率測定部１２３からのFERに基づいて目標ＳＩＲを決定するのではなく、誤り訂正復号／誤り検出部１２２からの誤り検出結果に基づいて目標ＳＩＲを決定することもできる。例えば、各フレーム毎または複数のフレーム毎の誤り検出結果が誤り有りを表す場合、目標ＳＩＲを所定量（例えば、１dB）だけ増加させ、誤りなしを表す誤り検出結果のフレームが連続した場合には、一定周期（所定フレーム数毎）で、目標ＳＩＲを所定量（例えば、０．５dB）減少させる。
【０１００】
上記各例において、基地局２００は送信局に対応し、移動局１００は受信局に対応する。また、ステップＳ２６での処理、ステップＳ３５での処理、図１０に示す処理を前提としたステップＳ２０での処理は、目標信号品質設定手順（手段）に対応する。
【０１０１】
以下、本発明により教示される手段を例示的に列挙する。
【０１０２】
（付記１）
送信局と受信局との間で情報を無線伝送するに際して、受信局での受信信号の品質が目標信号品質を満足するように送信局での送信電力を制御すると共に、受信局での受信信号に含まれる伝送情報の品質が目標情報品質を満足するように上記目標信号品質を制御するようにした送信電力制御方法において、
情報が送信局から受信局に間欠的に伝送される状態において、その情報の伝送が停止された後に情報の伝送が再開される時に、その停止時に得られた目標信号品質の値より大きな値の目標信号品質を設定する目標信号品質設定手順を有する送信電力制御方法。
【０１０３】
（付記２）
付記１記載の送信電力制御方法において、
上記目標信号品質設定手順は、上記情報の伝送が停止された後に情報の伝送が再開される時に設定されるべき目標信号品質の値を、上記情報の伝送が停止される伝送休止期間の長さに応じて調整する調整手順を有する送信電力制御方法。
【０１０４】
（付記３）
付記２記載の送信電力制御方法において、
上記調整手順は、上記情報の伝送が停止された後に情報の伝送が再開される時に設定されるべき目標信号品質の値が、上記情報の伝送停止時に得られた目標信号品質の値からその伝送休止期間の長さに応じた差分量だけ増加させた値となるよう調整する送信電力制御方法。
【０１０５】
（付記４）
付記２または３記載の送信電力制御方法において、
上記伝送休止期間に、上記目標情報品質より低い品質を表す擬似的な情報品質を生成する擬似情報品質生成手順を有し、
上記調整手順は、上記擬似情報品質生成手順にて生成される擬似的な情報品質を伝送情報の品質として、その品質が上記目標情報品質を満足するように上記目標信号品質を制御し、
情報の伝送が再開されたときに得られている目標信号品質の値を、情報の伝送が再開される時に設定されるべき目標信号品質の値とする送信電力制御方法。
【０１０６】
（付記５）
付記４記載の送信電力制御方法において、
受信局での受信信号に含まれる伝送情報の誤りを測定し、その測定された誤りに基づいて上記伝送情報の品質を求めるようにし、
上記擬似情報品質生成手順は、上記測定された伝送情報の誤りとして、所定周期毎に擬似的に誤りを発生させ、その誤りに基づいて上記擬似的な情報品質を生成し、
上記情報の伝送が再開された後では、上記擬似的に発生された誤りを加味せずに、測定された伝送情報の誤りに基づいて上記伝送情報の品質を求めるようにした送信電力制御方法。
【０１０７】
（付記６）
付記１乃至５いずれか記載の送信電力制御方法において、
上記情報の伝送が再開される時に設定されるべき目標信号品質の値は、所定の値以下となるように規制されるようにした送信電力制御方法。
【０１０８】
（付記７）
付記１乃至６いずれか記載の送信電力制御方法において、
複数のチャネルにて情報が送信局から受信局に間欠的に伝送される状態において、上記目標信号品質設定手順は、全てのチャネルの情報の伝送が停止された後に上記複数のチャネルのうち少なくとも１つのチャネルの情報の伝送が再開された時に、その停止時に得られた目標信号品質の値より大きな値の目標信号品質を設定するようにした送信電力制御方法。
【０１０９】
（付記８）
付記７記載の送信電力制御方法において、
受信局での受信信号に含まれる各チャネルの伝送情報の品質が対応するチャネルで定められた目標情報品質を満足するように上記目標信号品質を制御するようにした送信電力制御方法。
【０１１０】
（付記９）
送信局と受信局との間で情報を無線伝送するに際して、受信局での受信信号の品質が目標信号品質を満足するように送信局での送信電力を制御するための送信電力制御信号を生成すると共に、受信局での受信信号に含まれる伝送情報の品質が目標情報品質を満足するように上記目標信号品質を制御する送信電力制御装置において、
情報が送信局から受信局に間欠的に伝送される状態において、その情報の伝送が停止された後に情報の伝送が再開される時に、その停止時に得られた目標信号品質の値より大きな値の目標信号品質を設定する目標信号品質設定手段を有する送信電力制御装置。
【０１１１】
（付記１０）
付記９記載の送信電力制御装置において、
上記目標信号品質設定手段は、上記情報の伝送が停止された後に情報の伝送が再開される時に設定されるべき目標信号品質の値を、上記情報の伝送が停止される伝送休止期間の長さに応じて調整する調整手段を有する送信電力制御装置。
【０１１２】
（付記１１）
付記１０記載の送信電力制御装置において、
上記調整手段は、上記情報の伝送が停止された後に情報の伝送が再開される時に設定されるべき目標信号品質の値が、上記情報の伝送停止時に得られた目標信号品質の値からその伝送休止期間の長さに応じた差分量だけ増加させた値となるよう調整する送信電力制御装置。
【０１１３】
（付記１２）
付記１０または１１記載の送信電力制御装置において、
上記伝送休止期間に、上記目標情報品質より低い品質を表す擬似的な情報品質を生成する擬似情報品質生成手段を有し、
上記調整手段は、上記擬似情報品質生成手段にて生成される擬似的な情報品質を伝送情報の品質として、その品質が上記目標情報品質を満足するように上記目標信号品質を制御し、
情報の伝送が再開されたときに得られている目標信号品質の値を、情報の伝送が再開される時に設定されるべき目標信号品質の値とする送信電力制御装置。
【０１１４】
（付記１３）
付記１２記載の送信電力制御装置において、
受信局での受信信号に含まれる伝送情報の誤りを測定し、その測定された誤りに基づいて上記伝送情報の品質を求めるようにし、
上記擬似情報品質生成手段は、上記測定された伝送情報の誤りとして、所定周期毎に擬似的に誤りを発生させ、その誤りに基づいて上記擬似的な情報品質を生成し、
上記情報の伝送が再開された後では、上記擬似的な発生された誤りを加味せずに、測定された伝送情報の誤りに基づいて上記伝送情報の品質を求めるようにする擬似誤り取消し手段を有する送信電力制御装置。
【０１１５】
（付記１４）
付記９乃至１３いずれか記載の送信電力制御装置において、
上記目標品質設定手段は、上記情報の伝送が再開される時に設定されるべき目標信号品質の値を所定の値以下となるように規制するようにした送信電力制御装置。
【０１１６】
（付記１５）
付記９乃至１４いずれか記載の送信電力制御装置において、
複数のチャネルにて情報が送信局から受信局に間欠的に伝送される状態において、上記目標信号品質設定手段は、全てのチャネルの情報の伝送が停止された後に上記複数のチャネルのうち少なくとも１つのチャネルの情報の伝送が再開された時に、その停止時に得られた目標信号品質の値より大きな値の目標信号品質を設定するようにした送信電力制御装置。
【０１１７】
（付記１６）
付記１５記載の送信電力制御装置において、
受信局での受信信号に含まれる各チャネルの伝送情報の品質が対応するチャネルで定められた目標情報品質を満足するように上記目標信号品質を制御する目標信号品質制御手段を有する送信電力制御装置。
【図面の簡単な説明】
【０１１８】
【図１】本発明の実施の一形態に係る送信電力制御方法が適用される無線通信システムの一例を示すブロック図である。
【図２】送信装置が有する送信電力制御に係る構成部の一例を示すブロック図である。
【図３】受信装置が有する送信電力制御に係る構成部の一例を示すブロック図である。
【図４】誤り率測定部での処理手順の第一の例を示すフローチャートである。
【図５】目標ＳＩＲ決定部での処理手順の第一の例を示すフローチャートである。
【図６】データの伝送状態と目標ＳＩＲとの関係の第一の例を示す図である。
【図７】目標ＳＩＲ決定部での処理手順の第二の例を示すフローチャートである。
【図８】カウント値Ｎと目標ＳＩＲの差分値Δ（N）との関係の一例を示す図である。
【図９】データの伝送状態と目標ＳＩＲとの関係の第二の例を示す図である。
【図１０】誤り率測定部での処理手順の第二の例を示すフローチャートである。
【図１１】目標ＳＩＲ決定部での処理手順の第三の例を示すフローチャートである。
【図１２】データの伝送状態と目標ＳＩＲとの関係の第三の例を示す図である。
【図１３】品質測定期間とその期間で得られた品質情報が反映される目標ＳＩＲとの関係の一例を示す図である。
【図１４】誤り率測定部での処理手順の第三の例を示すフローチャートである。
【図１５】受信装置が有する複数チャネルを考慮した送信電力制御に係る構成部の一例を示すブロック図である。
【図１６】送信装置が有する複数チャネルを考慮した送信電力制御に係る構成部の一例を示すブロック図である。
【図１７】複数チャネルでのデータの伝送状態と目標ＳＩＲとの関係の一例を示す図である。
【図１８】従来の送信電力制御におけるデータ伝送状態と目標ＳＩＲとの関係の一例を示す図である。
【符号の説明】
【０１１９】
１００  移動局
１１０  送信装置
１２０  受信装置
１２１  無線受信部
１２２  誤り訂正復号／誤り検出部
１２３  誤り率測定部
１２４  目標ＳＩＲ決定部
１２５  ＳＩＲ測定部
１２６  ＳＩＲ比較部
１２７  送信電力制御ビット決定部
１３０  信号処理部
１４０  ユーザインターフェース
２００  基地局
２１０  送信装置
２１１  無線送信部
２１２  誤り検出符号化部
２１３  誤り訂正符号化部
２１４  送信電力制御部
【図１】
0004494445.tif 000002
【図２】
0004494445.tif 000003
【図３】
0004494445.tif 000004
【図４】
0004494445.tif 000005
【図５】
0004494445.tif 000006
【図６】
0004494445.tif 000007
【図７】
0004494445.tif 000008
【図８】
0004494445.tif 000009
【図９】
0004494445.tif 000010
【図１０】
0004494445.tif 000011
【図１１】
0004494445.tif 000012
【図１２】
0004494445.tif 000013
【図１３】
0004494445.tif 000014
【図１４】
0004494445.tif 000015
【図１５】
0004494445.tif 000016
【図１６】
0004494445.tif 000017
【図１７】
0004494445.tif 000018
【図１８】
0004494445.tif 000019